(57)【特許請求の範囲】
【請求項１】
後面および後面の周縁から前方に延びる筒状の周面を有し、後面中央部が回転自在に保持されていて、内部に収容した衣類を乾燥させるための回転ドラムと、この回転ドラムの後面中央部を中心として後面に配置されたフィルタとを備えた衣類乾燥機において、
上記後面には、後面中央部の周囲に点在するようにして複数の係止孔が形成され、
フィルタには、係止孔に嵌まるように後方に突出した複数の爪が備えられ、
この爪の径方向外側の表面には、係止孔の外縁と引っ掛かり可能な凸部が形成されるとともに、
後面中央部に対する爪の温度膨張度合いは、係止孔に比べて大きくされ、回転ドラム内の温度が高くなると、回転ドラムの後面中央部と爪との距離が、後面中央部と係止孔との距離より長くなり、
さらに、フィルタを回転ドラムの後面に固定するねじ機構を備え、
爪は、ねじ機構のある位置を避けて配置されていることを特徴とする衣類乾燥機。
【発明の詳細な説明】
【０００１】
【発明の属する技術分野】
本発明は、衣類乾燥機に関する。
【０００２】
【従来の技術および発明が解決しようとする課題】
例えば、衣類乾燥機は、乾燥させる衣類を収容する筒状の回転ドラムを有している。この回転ドラムは、その筒の軸と平行な、前後に延びる回転軸の周りに回転するように構成されており、回転ドラム内に熱風が導入されることで、熱風と衣類とが攪拌されて、衣類を乾燥する。熱風は回転ドラムの後面を通じて流出するようになっており、この空気流中の埃や糸屑等の異物を捕獲するためにフィルタが設けられている。
【０００３】
回転ドラムとフィルタとは、ねじ止めにより着脱自在に固定されていた。フィルタの着脱時の操作性を向上させるため、フィルタの外周に回転ドラムの後面に垂直になるようにして、平坦な板状の爪が設けられていた。この爪が、回転ドラムの後面に形成された案内孔に嵌まって、フィルタを回転ドラムの後面の所定のねじ止め位置に案内するようになっている。
【０００４】
【発明が解決しようとする課題】
ところで、上述のフィルタが乾燥運転時の熱により伸縮して、フィルタと回転ドラムの後面との間に隙間が生じることが想定される。この隙間を無くし、フィルタと回転ドラムの後面との間への埃の侵入を防止するために、フィルタは多数のねじで固定されていた。このように、多数のねじを必要とするので、製造コストが高くなり、また、フィルタの着脱も面倒になっていた。
【０００５】
そこで、本発明の目的は、上述の技術的課題を解決し、運転時に回転ドラムの後面とフィルタとの間の隙間の発生を防止しつつ、ねじ止め箇所を低減でき、且つフィルタ着脱の操作性を向上できる衣類乾燥機を提供することである。
【０００６】
【課題を解決するための手段】
この目的を達成するため、請求項１に記載の発明の衣類乾燥機は、後面および後面の周縁から前方に延びる筒状の周面を有し、後面中央部が回転自在に保持されていて、内部に収容した衣類を乾燥させるための回転ドラムと、この回転ドラムの後面中央部を中心として後面に配置されたフィルタとを備えた衣類乾燥機において、上記後面には、後面中央部の周囲に点在するようにして複数の係止孔が形成され、フィルタには、係止孔に嵌まるように後方に突出した複数の爪が備えられ、この爪の径方向外側の表面には、係止孔の外縁と引っ掛かり可能な凸部が形成されるとともに、後面中央部に対する爪の温度膨張度合いは、係止孔に比べて大きくされ、回転ドラム内の温度が高くなると、回転ドラムの後面中央部と爪との距離が、後面中央部と係止孔との距離より長くなり、さらに、フィルタを回転ドラムの後面に固定するねじ機構を備え、爪は、ねじ機構のある位置を避けて配置されていることを特徴とする。
【０００７】
この構成によれば、爪を係止孔に挿入すれば、爪の凸部が係止孔の外縁に引っかかり、フィルタを回転ドラムの後面に容易に取り付けることができる。また、爪の凸部と係止孔の外縁との引っ掛かりを解除しつつ、爪を係止孔から引き抜けば、フィルタを回転ドラムの後面から容易に取り外すことができる。このように、着脱は爪を係止孔へ挿脱すればよく、ねじ止めに比べて容易である。
【０００８】
また、乾燥運転時の熱風により回転ドラム内が高温になると、回転ドラムの後面中央部と爪との距離は、後面中央部と係止孔との距離よりも長くなるので、乾燥運転時に爪の凸部と係止孔の外縁とが確実に引っかかる結果、上述の隙間の発生を確実に防止することができる。
【００１１】
また、乾燥運転時に比べて低温になる運転停止時に、爪の凸部と係止孔の外縁との引っかかりを弱くできるので、フィルタをより一層容易に着脱することができる。
【００１２】
ここで、爪の温度膨張度合いが係止孔よりも大きい構成としては、フィルタが熱膨張係数の大きい部材を含む構造や、温度に応じて大きく撓む部分を含む構造を例示できる。
【００２１】
さらに、フィルタをねじ機構によりがたつきなく固定することができる。また、爪とねじ機構とが互いに協働しているので、隙間の発生を確実に防止することができる。
【００２４】
【発明の実施の形態】
以下、本発明の一実施の形態を、添付図面を参照しながら詳細に説明する。図１は、本発明の一実施の形態の衣類乾燥機の概略構成の側面断面図である。
【００２５】
本衣類乾燥機Ａは、箱状のハウジング１内に、衣類を内部に収容する回転ドラム２を有している。ハウジング１の前面には、開口１ａが形成され、ここには開閉扉３が取り付けられている。この開閉扉３を開けて、開口１ａを通じて、衣類を回転ドラム２内に出し入れする。
【００２６】
回転ドラム２は、ステンレス鋼で略円筒状に形成されており、後面２ａおよびこの後面２ａの周縁から前方に延びる筒状の周面を有している。回転ドラム２の後面２ａには開口６が形成され、この開口６を覆ってフィルタ７と、プレフィルタ８ｂと、フィルタカバー８ａとが、後方より順に取り付けられている。プレフィルタ８ｂは、フィルタ７に対して、糸屑等の相対的に大きな異物を捕獲するためのものであり、フィルタカバー８ａとともに、着脱容易に取り付けられている。
【００２７】
また、回転ドラム２は、前後に延びる回転軸を有している。すなわち、回転ドラム２は、その前部でハウジング１に設けられた環状のドラム支持板４により回転自在に支持されている。また、回転ドラム２の後面２ａの中央部が、ここに挿通された支持軸５によって回転自在に保持されている。
【００２８】
回転ドラム２の後方には、回転ドラム２の内部に空気を流すための送風機９が設けられている。この送風機９は、支持軸５に固定された両面ファン１０と、この両面ファン１０を収容するファンケーシング１１とを有している。このファンケーシング１１内には、両面ファン１０の前後に、乾燥風路１２および冷却風路１３が区画されている。
【００２９】
冷却風路１３は、ハウジング１の後面板１ｂに形成された外気取入口１４を介して機外と連通している。両面ファン１０が回転すると、外気が外気取入口１４を通じて取り込まれて、両面ファン１０を冷却しつつ、冷却風路１３内を流れた後、ハウジング１の底板１ｃに形成された外気排出口３３を通じて機外へ排出される。
【００３０】
乾燥風路１２は、回転ドラム２の後面にある開口６を通じて、回転ドラム２内と連通している。また、乾燥風路１２は、回転ドラム２の下方に設けられた循環ダクト２１の後端に接続されている。循環ダクト２１の前端はドラム支持板４の下部に形成された熱風流入口２２に接続されており、この熱風流入口２２を通じて循環ダクト２１と回転ドラム２内部とは連通している。このように、回転ドラム２、乾燥風路１２および循環ダクト２１によって空気循環路が構成されている。また、熱風流入口２２の近傍の循環ダクト２１内には、ヒータ２３が設けられている。
【００３１】
ハウジング１内の下部には、モータ２６が設けられている。モータ２６は前後に出力軸２４，２５を有している。出力軸２４にはドラムプーリ２７が固定され、ドラムプーリ２７と回転ドラム２には、ドラムベルト２８が巻き掛けられている。一方、出力軸２５にはファンプーリ３０が取り付けられ、ファンプーリ３０と両面ファン１０に駆動連結されるプーリ３１とには、ファンベルト３２が巻き掛けられている。
【００３２】
モータ２６が回転駆動されると、回転ドラム２および両面ファン１０が回転する。両面ファン１０が回転すると、乾燥風路１２内の空気が循環ダクト２１に送られる。循環ダクト２１に送られた空気は、ヒータ２３によって加熱されて高温の熱風となり、熱風流入口２２を通じて回転ドラム２内に導入される。回転ドラム２内では、回転ドラム２の回転によって熱風と衣類とが攪拌されて、衣類に含まれている水分が蒸発して、衣類が乾燥される。水分を含む空気は、回転ドラム２内からその後方へ流出し、乾燥風路１２内に吸い込まれる。ここで、空気は、上述したように冷却された両面ファン１０により冷却されて水分を除去されて後、循環ダクト２１へ送られる。このように、空気は上述の空気循環路を繰り返し循環する。その間、乾燥風路１２内で、空気中に含まれる水分は、両面ファン１０の表面に凝結して水滴となり、循環ダクト２１の下部に形成された排水口３４から外部に排水される。
【００３３】
また、空気は、回転ドラム２内から後方へ流出する際に、プレフィルタ８ｂで糸屑等を除去され、フィルタ７で埃を除去される。
【００３４】
ところで、フィルタ７の裏面（後側の面）と回転ドラム２の後面２ａとの間に隙間が生じることが想定される。このような隙間があると、埃が乾燥風路１２や循環ダクト２１内に入り込んでしまう。
【００３５】
本衣類乾燥機１では、フィルタ７を回転ドラム２の後面２ａにその内部側から後述する取付構造によって取り付けている。これにより、フィルタ７のねじ止め箇所を少なくしつつ、上述の隙間の発生を確実に防止でき、且つフィルタ７を回転ドラム２の後面２ａに容易に着脱することができる。
【００３６】
以下、詳細に説明する。なお、以下の説明では、回転ドラム２の回転軸の延びる方向を軸方向とし、回転ドラム２の後面２ａに関する径方向および周方向を径方向および周方向として説明する。
【００３７】
図２は、図１の衣類乾燥機の回転ドラムの後部を拡大して示す側面断面図である。なおフィルタ７の枠７２は、図３のＣ−Ｃ−Ｃ断面を示す。図３は、フィルタの後面図である。
【００３８】
回転ドラム２の後面２ａの中央部には、支持軸５が嵌合されるボス部４１が取り付けられている。フィルタ７は、ボス部４１により中心位置を位置決めされて取り付けられている。また、フィルタ７の周縁部にある爪５０と回転ドラム２の後面２ａにある係止孔５１とが引っ掛かり、また、フィルタ７にある挿通孔６０を通るビス６２と後面２ａにある雌ねじ孔（図示せず）とがねじ止めされている。
【００３９】
雌ねじ孔および係止孔５１は、回転ドラム２の後面２ａの複数箇所に形成されている。係止孔５１は、後面２ａに、この中央部の周囲に点在するようにして形成され、中心に対して同じ径方向位置に、等配に配置されている。また、係止孔５１は、略矩形に形成されている。
【００４０】
また、ボス部４１の外周面４１ａとフィルタ７の内周面７ａとは、互いに嵌合する嵌合部４２を構成している。この嵌合部４２により、フィルタ７の中心と、回転ドラム２の後面２ａの中心とを位置合わせすることができる。
【００４１】
フィルタ７は、空気流中の埃等を捕獲する、例えば、繊維状部材からなる濾材７１と、この濾材７１を保持する枠７２とを有している。枠７２は、外周縁を形成するリム７３と、このリム７３の中心にあるハブ７４と、このハブ７４とリム７３とを接続して径方向に延びる複数のアーム７５とを有している。これら各部の間に、開口が区画されており、この開口を覆って上述の濾材７１が取り付けられている。
【００４２】
また、フィルタ７のリム７３の裏面には、スポンジ状の弾性部材からなるパッキン７６が取り付けられている。このパッキン７６は、フィルタ７の裏面の外周縁の全周にわたって貼着されている。このパッキン７６により、フィルタ７のリム７３の裏面と回転ドラム２の後面２ａとの間が確実に封止されている。
【００４３】
フィルタ７の枠７２は、プラスチックス等の樹脂製であり、回転ドラム２に比べて熱膨張係数が大きい。また、フィルタ７の枠７２は、ビス６２用の複数の挿通孔６０と、回転ドラム２の係止孔５１を挿通するように後方に立設された複数の爪５０とを有している。この爪５０の径方向外側の表面には、係止孔５１の径方向の外側縁部である外縁５１ａ（図４参照）と引っ掛かり可能に、径方向の外方に突出する凸部５５が形成されている。
【００４４】
挿通孔６０は、アーム７５の径方向にリム７３寄り部分に設けられており、４か所のアーム７５に設けられている。挿通孔６０は、隣接する爪５０同士の略中間位置にあるアーム７５に設けられている。爪５０と挿通孔６０とは交互に、周方向に略均等になるように等配に配置されている。
【００４５】
爪５０は、ねじ機構の挿通孔６０のある角度位置を避けて等配で配置されている。爪５０は、パッキン７６よりも内径側のリム７３に、後方に向けて立設されている。
【００４６】
爪５０は、係止孔５１に嵌まることで、フィルタ７を周方向に関して位置合わせ可能に設けられ、この位置合わせ状態で、挿通孔６０と回転ドラム２の後面２ａにある雌ねじ孔とが、軸方向に見て重なり合っている。
【００４７】
図４は、図２のＤ部を拡大して示す側面断面図であり、常温時を示す。図５は、図４の爪のＢ矢視図である。図６は、図２のＤ部を拡大して示す側面断面図であり、高温時を示す。
【００４８】
爪５０は、径方向の厚みが周方向の厚みに比べて薄い矩形の断面を有しており、径方向に撓み易くなっている。それゆえ、後述する凸部５５が係止孔５１の外縁に引っ掛かりながらであっても、爪５０を係止孔５１に挿通させることができる。
【００４９】
凸部５５は、径方向の外方に向けて略４角錐状に突出している。すなわち、凸部５５は、後方に行くにしたがって径方向の内側に向かって傾斜する傾斜面５６と、前方に行くにしたがって径方向の内側に向かって傾斜する根元斜面５７と、周方向に傾斜する側部斜面５８とを含んでいる。各斜面が接続されている部分が凸部５５の先端５５ａとなっている。
【００５０】
凸部５５の先端５５ａは、これに対応する係止孔５１の外縁５１ａに対して、フィルタ７の交換時に、例えば、乾燥運転時に比べて相対的に低温の常温で、引っ掛かりを回避するように、径方向に等しい位置に配置されている。それゆえ、後述するようにフィルタ７を着脱し易い。なお、凸部５５の先端５５ａは、係止孔５１の外縁５１ａに対して、径方向の内方の位置に配置されていても、同様の作用効果を得ることができる。この場合、先端５５ａと外縁５１ａとは、径方向に僅かな隙間を開けるように、互いに接近していると、停止時に容易に着脱でき、しかも、運転時に確実にひっかけることができて好ましい。
【００５１】
このように、上述の爪５０と係止孔５１とが、フィルタ７を回転ドラム２の後面２ａに引っかけて取り付けるための第１の取付構造を構成している。また、ビス６２と挿通孔６０と後面２ａにある雌ねじ孔とで構成するねじ機構６３が、フィルタ７を回転ドラム２の後面２ａに固定するための第２の取付構造を構成している。
【００５２】
本衣類乾燥機Ａでは、運転停止時にフィルタ７を容易に着脱して、フィルタ７の洗浄や交換等のメンテナンスをすることができる。
【００５３】
取り付けには、フィルタ７の爪５０を係止孔５１に嵌めれば、取り付けることができる。まず、フィルタ７の内周面７ａを、ボス部４１の外周面４１ａに嵌めて、中心を合わせる。この状態で、爪５０を係止孔５１に容易に挿入することができる。爪５０を係止孔５１に挿入すると、爪５０の凸部５５と係止孔５１とが引っ掛かるようにできる。これと同時に周方向にフィルタ７を位置合わせできるので、上述の雌ねじ孔と挿通孔６０とは、位置合わせされる結果、ビス６２を容易にねじ込むことができる。
【００５４】
取り外しには、まず、フィルタカバー８ａおよびプレフィルタ８ｂを取り外す。次に、ビス６２を取り外し、フィルタ７を前方に移動させると、爪５０を係止孔５１から容易に抜くことができ、フィルタ７を回転ドラム２の後面２ａから容易に取り外すことができる。
【００５５】
乾燥運転時で、回転ドラム２内部の温度が低い場合には、フィルタ７は、ねじ機構６３により後面２ａに隙間なく確実に固定されている。
【００５６】
また、乾燥運転時で、回転ドラム２内部の温度が高くなると、爪５０の凸部５５が係止孔５１の外縁５１ａにより一層強く引っ掛かるようになる。というのは、乾燥運転時の熱風により回転ドラム２内部が高温になると、温度膨張度合いが大きくされた枠７２は回転ドラム２の後面２ａに比べて径方向の外側に大きく伸びるからである。その結果、凸部５５が係止孔５１に強く引っ掛かるので、フィルタ７が反ったり撓むような場合であっても、フィルタ７と後面２ａとの間の隙間の発生を防止することができる。従って、フィルタ７と後面２ａとの間に埃が侵入することを防止することができる。
【００５７】
ここで、回転ドラム２の後面２ａよりも温度膨張度合いが大きい枠７２としては、上述のように枠７２が回転ドラム２よりも熱膨張係数の大きい部材で形成されている場合の他、温度に応じて大きく撓む部分を含む構造を有していてもよい。また、フィルタ７が回転ドラム２の内側に反るように変形する場合に、その結果として、爪５０の外周側表面が径方向の外側に変位する場合も含むものである。
【００５８】
このように本実施の形態によれば、爪５０を係止孔５１に挿入すれば、爪５０の凸部５５が係止孔５１に引っかかり、フィルタ７を回転ドラム２の後面２ａに容易に取り付けることができる。また、爪５０の凸部５５と係止孔５１の外縁５１ａとの引っ掛かりを解除しつつ、爪５０を係止孔５１から引き抜けば、フィルタ７を回転ドラム２の後面２ａから容易に取り外すことができる。
【００５９】
このように、爪５０を係止孔５１へ挿脱すればよいので、フィルタ７をねじ止めに比べて容易に着脱できる。
【００６０】
また、乾燥運転時の温度の上昇に伴って、爪５０の凸部５５が径方向の外方へ変位する場合に、爪５０の外周側表面にある凸部５５が係止孔５１の外縁５１ａに強く引っ掛かるので、フィルタ７と後面２ａとの間の隙間の発生を防止することができる。
【００６１】
その結果、ねじ止めだけで防止していた従来の構造に比べてねじ止め箇所を少なくできる。例えば、ねじ止め箇所を従来の８か所に対して本実施の形態では４か所に少なくでき、しかも、隙間を確実に防止することができる。このように、ねじ止め箇所を少なくできるので、ビス６２等の部品コストや、回転ドラム２の雌ねじ孔のための加工コストを低減でき、しかもフィルタ７の着脱の操作性が向上して、フィルタ７を容易に着脱することができる。
【００６２】
特に、樹脂製の枠７２とステンレス鋼製の回転ドラム２との組み合わせにより、回転ドラム２の後面２ａの中央部に対する爪５０の温度膨張度合いは、係止孔５１に比べて大きくされている。これにより、乾燥運転時に回転ドラム２内の温度が高くなると、回転ドラム２の後面２ａ中央部と爪５０との距離は、後面２ａの中央部と係止孔５１との距離よりも長くなるので、爪５０の凸部５５と係止孔５１の外縁とが確実に引っかかる結果、上述の隙間の発生を確実に防止することができる。また、乾燥運転時に比べて低温になる運転停止時に、爪５０の凸部５５と係止孔５１の外縁との引っかかりを弱くできるので、フィルタ７をより一層容易に着脱することができる。
【００６３】
さらに、図４に示すように、フィルタの交換時である常温で、凸部５５の先端５５ａは、これに対応する係止孔５１の外縁５１ａに対して、径方向に等しい位置に配置されているので、先端５５ａと外縁５１ａとが引っ掛からないようにして、フィルタ７をより一層容易に着脱することができる。
【００６４】
また、傾斜面５６を係止孔５１の外縁に沿わせ、凸部５５と係止孔５１とをスムーズに引っ掛けることができるので、フィルタ７を回転ドラム２により一層容易に取り付けることができる。
【００６５】
また、根元斜面５７を係止孔５１の外縁に沿わせつつ爪５０を係止孔５１から抜くことで、凸部５５と係止孔５１との引っ掛かりを解除することができる。その結果、運転停止後間もない場合等で回転ドラム２内部の温度が高い場合にも、フィルタ７を取り外すことができる。
【００６６】
また、図６に示すように、高温となる乾燥運転時に、根元斜面５７と係止孔５１の外縁５１ａとが引っかかるので、根元斜面５７により回転ドラム２の後面２ａにフィルタ７が引き寄せられる結果、上述の隙間の発生をより一層確実に防止することができる。
【００６７】
また、フィルタ７をねじ機構６３によりがたつきなく固定することができる。しかも、このねじ機構６３のある位置を避けて爪５０が配置されていることにより、爪５０とねじ機構６３とが互いに協働して、例えば、低温時にも隙間の発生を確実に防止することができる。特に、爪５０とねじ機構６３とが均等に配置されている場合には、より一層好ましい。
【００６８】
また、フィルタ７は、回転ドラム２の中心に嵌合部４２により位置合わせされ、また、爪５０と係止孔５１とにより周方向に位置合わせされているので、ビス６２のねじ締めが容易である。また、上述の隙間防止用の爪５０を利用して位置合わせできるので、構造も簡素化できる。
【００６９】
また、ステンレス鋼製の回転ドラム２は、傷つき難く、且つ錆が発生せず清潔さを保つことができる。
【００７０】
また、フィルタ７と回転ドラム２とは、熱膨張係数の異なる構成であるので、簡素な構造で、その温度膨張度合いを確実に異ならせることができる。
【００７１】
また、凸部５５が係止孔５１に引っかかるので、パッキン７６による封止効果を確実に得ることができる。
【００７２】
また、空気循環路を有する衣類乾燥機Ａでは、埃を含む空気が湿った風路内を通ると、風路に埃が付着し易いうえに再度加熱される際に埃も加熱されることから、埃を確実に除去できる本発明が好ましい。
【００７３】
なお、フィルタ７は、上述の構成には限定されず、例えば、枠と濾材とが一体に形成されたものでもよいし、枠７２と爪５０とが別体で形成されてもよい。
【００７４】
また、爪５０の凸部５５は、傾斜面５６および根元斜面５７を有していたが、これには限定されない。例えば、何れか一方だけでもよいし、また、両方ともに設けられない凸部５５でも構わない。
【００７５】
また、凸部５５は、回転ドラム２の内部が常温の停止時に、係止孔５１と引っかからない程度に突出していたが、これには限定されない。例えば、運転停止時に、凸部５５と係止孔５１の外縁との間に引っ掛かりがあってもよい。この場合には、引っ掛かりの程度は、接触する程度が好ましい。
【００７６】
また、フィルタ７における、爪５０と挿通孔６０との配置や数は、上述のものに限定されない。例えば、爪５０と挿通孔６０の数が異なってもよいし、このような場合には、等配でない配置も考えられる。また、第２の取付構造としてねじ機構６３以外の着脱可能な公知の構造を利用してもよい。
【００７７】
その他、本発明の要旨を変更しない範囲で種々の設計変更を施すことが可能である。
【００７８】
【発明の効果】
請求項１に記載の発明によれば、爪を係止孔へ挿脱すればよく、フィルタをねじ止めに比べて容易に着脱できる。また、乾燥運転時に、爪が径方向外方へ変位する場合に、爪の外側表面の凸部が係止孔の外縁に強く引っ掛かるので、フィルタと後面との間の隙間の発生を防止することができる。その結果、ねじ止め箇所を少なくすることができる。
【００７９】
また、爪と係止孔との温度膨張度合いを異ならせているので、乾燥運転時に爪の凸部と係止孔の外縁とが確実に引っかかる結果、上述の隙間の発生を確実に防止することができる。また、低温の運転停止時に、爪の凸部と係止孔の外縁との引っかかりを弱くできて、フィルタをより一層容易に着脱することができる。
【００８３】
さらに、フィルタをがたつきなく固定できる。しかも、爪とねじ機構とが互いに協働して確実に隙間の発生を防止することができる。
【図面の簡単な説明】
【図１】本発明の一実施の形態を示す衣類乾燥機の概略構成の側面断面図である。
【図２】図１の衣類乾燥機の回転ドラムの後部を拡大して示す側面断面図である。なお枠は、図３のＣ−Ｃ−Ｃ断面を示す。
【図３】図１の衣類乾燥機のフィルタの枠の後面図である。
【図４】図２のＤ部を拡大して示す側面断面図であり、常温時を示す。
【図５】図４の爪のＢ矢視図である。
【図６】図２のＤ部を拡大して示す側面断面図であり、高温時を示す。
【符号の説明】
Ａ  衣類乾燥機
２  回転ドラム
２ａ  後面
７  フィルタ
４２  嵌合部
５０  爪
５１  係止孔
５１ａ  外縁
５５  凸部
５５ａ  先端
６３  ねじ機構
【図１】
0003710936.tif 000002
【図２】
0003710936.tif 000003
【図３】
0003710936.tif 000004
【図４】
0003710936.tif 000005
【図５】
0003710936.tif 000006
【図６】
0003710936.tif 000007